(57)【特許請求の範囲】
【請求項１】
らせん綴じ針金を形成し、このらせん綴じ針金をルーズリーフ束の背部に予め平行に穿孔された孔内に巻込むための装置において、実際に針金が針金走入口（Ｘ）からルーズリーフ束（１３）内に巻込まれるまで一貫して延在していて、かつ回転する巻込みマンドレル（１）とらせん綴じ針金（Ｓ）の送り方向で同軸状態で続いてかつ定置されている案内スクリュー（１２）を備えていることを特徴とする装置。
【請求項２】
案内スクリュー（１２）の針金走出口（Ｅ）にらせん綴じ針金切断手段（１４）が設けられていることを特徴とする請求項１に記載の装置。
【請求項３】
案内スクリュー（１２）の針金走出口（Ｅ）が切欠き（１８）を備えており、この切欠き内にらせん綴じ針金切断手段（１４）の固定されているナイフ（１６）と運動するナイフ（１７）とが突出して入込み運動可能であることを特徴とする請求項１或いは２に記載の装置。
【請求項４】
巻込みマンドレル（１）にらせん綴じ針金（Ｓ）のねじれ角で移動可能な回転する支持ローラ（２１）が設けられていることを特徴とする請求項１に記載の装置。
【請求項５】
支持ローラ（２１）がばね弾性的に圧縮可能であることを特徴とする請求項４に記載の装置。
【請求項６】
ばね弾性的な圧縮部が板ばね保持部（１９）として形成されていることを特徴とする請求項５に記載の方法。
【発明の詳細な説明】
【０００１】
【発明の属する技術分野】
本発明は、らせん綴じ針金を形成しこのらせん綴じ針金をルーズリーフ束の背部に予め平行に穿孔された孔内に巻込むための装置に関する。
【０００２】
【従来の技術】
冒頭に記載した様式のルーズリーフ束を、例えば速記用紙ブロック、カレンダ等のような形態に綴じるためのらせん綴じ針金は、一般に針金、プラスチックを被覆した線材或いはプラスチック糸から造られている。この場合、このような材料のすべてを以下に簡略して『線材』と称する。
【０００３】
【発明が解決しようとする課題】
本発明の根底をなす課題は、ルーズリーフ束内へのらせん綴じ針金の引通し巻込みを容易にかつ支障なく行い得るようにすることである。
【０００４】
【課題を解決するための手段】
上記の課題は本発明により、装置が実際に針金が針金走入口からルーズリーフ束内に巻込まれるまで一貫して延在していて、かつ回転する巻込みマンドレルとらせん綴じ針金の送り方向で同軸状態で続いてかつ定置されている案内スクリューを備えていることによって解決される。
【０００５】
実質的にルーズリーフ束の綴じ厚みに実際に相当するらせん綴じ針金部分を切断する際に生じる各々の新しいらせん綴じ針金の始端部を新たな引通し巻込み工程のために正しく位置決めを行うために更に、本発明にあっては装置には案内スクリューの針金走出口にらせん綴じ針金切断手段が設けられている。このようにして、終端まで有効ならせん案内は、らせん形状に形成された線材が切断工程において捩れたり、歪曲したりすることを阻止する。
【０００６】
最も有効な線材案内は、本発明による他の構成により、装置が案内スクリューの針金走出口が切欠きを備えており、この切欠き内にらせん綴じ針金切断手段の固定されているナイフと運動するナイフが突出して入込み運動可能であることによって達せられる。
更なる確実ならせん綴じ針金案内は、本発明による他の構成により、装置の巻込みマンドレルにらせん綴じ針金のねじれ角で圧縮可能な回転する保持ローラが設けられていることによって達せられる。
【０００７】
本発明による構成により、装置に設けられている保持ローラがばね弾性的に圧縮可能であり、その際ばね弾性的な圧縮部が板ばね保持部として形成されている。
以下に添付した図面に図示した発明の実施の形態につき本発明を詳細に説明する。
【０００８】
【発明の実施の形態】
図１と図２に示したように、装置は巻込みマンドレル１を備えており、この巻込みマンドレルはハウジング２内に回転可能に軸受されていて、ベルト駆動機構３により矢印４の方向で回転可能である。
巻込み領域内において、巻込みマンドレル１は、針金走入口Ｘの位置において円錐切頭形に拡大された部分Ａを、そしてこの部分に連なって円筒形の部分Ｂを備えている。巻込みマンドレル１の部分Ａの巻込み工程にとって有効な領域は部分Ｂよりも短い。
【０００９】
巻込みマンドレル１を中心にしてその周囲に、三つの保持部材６が互いに対して等間隔で設けられており、これらの保持部材は、それぞれねじ７と長孔８とによりハウジング２の端面に、巻込みマンドレル１に対して半径方向で移動可能に取付けられている。
保持部材６の各々内には多数の円筒形のピン９が回転可能に軸受されていて、ねじ込ボルト１１により軸線方向で保持されていて、このねじ込ボルトによりピン９の巻込みマンドレル１における正確な圧縮作用が可能である。
【００１０】
二つの保持部材６にあって、ピン９の列は巻込まれるべきらせん綴じ針金Ｓのピッチに相互に相応して段階状に設けられている。
巻込みマンドレル１の端面に続いて、らせん綴じ針金Ｓの二つの仕上がり巻込み体間のピッチ間隔内で、同軸状に定置して設けられている案内スクリュー１２が設けられており、この案内スクリューは巻込みマンドレル１と共に、殆どルーズリーフ束１３内にらせん綴じ針金の通しが行なわれるまで延在しているらせん綴じ針金案内部を形成している。
【００１１】
案内スクリュー１２の針金走出口Ｅには、不動のナイフ１６とこの案内スクリュー１２の最後のスクリュー案内部の領域内の切欠き１８内に突出している可動のナイフ１７とから成るらせん綴じ針金切断手段１４が設けられている。
更に、巻込みマンドレル１には、らせん綴じ針金Ｓのねじれ角で板ばね保持部１９により弾性的に圧縮作用可能に回転する支持ローラ２１が設けられている。
【００１２】
装置の作動態様は以下の通りである。
線材２２は、針金走入口Ｘの領域内で、巻込みマンドレル１上に載置され、この線材は、円錐切頭状に拡大している部分Ａの領域内で、ピン９に沿って転動し、延伸により形状安定にされて、らせん綴じ針金Ｓに成形される。
巻込みマンドレル１の円筒形の部分Ｂは線材２２と巻込みマンドレル１間の必要とする確実な巻込み力を形成し、この巻込み力は上記の支持ローラ２１による押圧力により更に増幅される。
【００１３】
らせん綴じ針金Ｓの巻込みマンドレル１から絶えず走出するすべての線材ループは直接的に或いは案内スクリュー１２の第一のスクリュー案内部からの所定のピッチ間隔で引取られ、案内スクリューの針金走出口Ｅを去った後ルーズリーフ束１３の予め形成されている綴じ孔２３内に通される。
らせん綴じ針金Ｓの一定の長さ部分が、全綴じ幅にわたって、次の綴じ孔への僅かな乗り越え長さ分も加えて、ルーズリーフ束１３内に通された後、らせん綴じ針金Ｓの巻込み運動は停止され、らせん綴じ針金Ｓはその最後の未だ案内スクリュー１２によって案内されている仕上がり巻込み体において運動するナイフ１７がその軸２４を中心にして矢印２５の方向で固定されているナイフ１６に対して旋回することにより切断される。
【００１４】
分断され、従って次に通されるらせん綴じ針金部分のための新しい始端部を形成するらせん綴じ針金Ｓの端部の捻じれと歪曲はこのようにして有効に阻止され、確実な孔通しが保証される。
明細書および特許請求の範囲には、成形の実際に即応して『らせん綴じ針金』と呼称した。しかし、数学的−技術的な意味による正しい呼称は『らせんバインダ』或いは『ねじれバインダ』である。
【００１５】
【発明の効果】
本発明により得られる利点は、らせん綴じ針金が実際に中断することのない案内により合目的にルーズリーフ束の孔内に差込まれ、その際らせん綴じ針金が切断時にそのピッチの経過において、切断された端部の領域内におけるこのらせん綴じ針金の形状安定性とこれに伴う確実なルーズリーフ束の孔内への巻込みが保証されるように、形状安定した保持が行われることである。
【００１６】
【図面の簡単な説明】
【図１】  らせん綴じ針金を巻込むための装置の側面図である。
【図２】  図１による矢印Ｚの方向で見た装置の正面図である。
【符号の説明】
１  巻込みマンドレル
２  ハウジング
３  ベルト駆動機構
４  矢印
６  保持部材
７  ねじ
８  長孔
９  ピン
１０
１１  ねじボルト
１２  案内スクリュー
１３  ルーズリーフ束
１４  線材切断手段
１６  固定ナイフ
１７  可動ナイフ
１８  切欠き
１９  板ばね保持部材
２１  支持ローラ
２２  線材
【図１】
0004018204.tif 000002
【図２】
0004018204.tif 000003